(57)【要約】      （修正有）【課題】熨斗袋を布で構成し、使用後には水洗い等して再利用できる布製熨斗袋を提供する。【解決手段】複数の折り目を付けた正方形布２と、紙幣袋を包むための複数の折り目を付けた中袋６０と、折り目を付けた正方形布２の中心部に前記紙幣袋を包んだ前記中袋６０を置き、正方形布２の折り返し部の長さを布製熨斗袋本体１０の長手方向の長さの半分よりも長くし、水引を中央に掛けることによって布製熨斗袋本体１０の折り返し部の重なりを固定するように構成される。このように、本発明においては、布製熨斗袋１に糊等をもちいて固めること無く、正方形布２は柔らかいまま、その内部に置かれる中袋６０を硬いものとして構成することによって、正方形布２の再利用を容易にした。【選択図】図５
0003142820.tif 000002
【実用新案登録請求の範囲】
【請求項１】
複数の折り目を付けた正方形布と、
紙幣を入れた紙幣袋を包むための複数の折り目を付けた中袋と
前記正方形布で折られた布製熨斗袋本体の中央に掛けられた水引と、
前記布製熨斗袋本体の表側の水引の下に挿入され、献辞、贈主等が記入される短冊片とからなり、
前記折り目を付けた正方形布の中心部に前記紙幣袋を包んだ前記中袋を置き、
前記正方形布の折り返し部の長さを前記布製熨斗袋本体の長手方向の長さの半分よりも長くし、
前記水引を中央に掛けることによって前記布製熨斗袋本体の折り返し部の重なりを固定する
ようにしたことを特徴とする布製熨斗袋。
【請求項２】
前記中袋の中心部に置く紙幣袋の下に敷き紙を敷くことを特徴とする請求項１に記載の布製熨斗袋。
【考案の詳細な説明】
【技術分野】
【０００１】
本考案は、婚礼などの慶事用や葬儀などの弔事用として使用される布製熨斗（のし）袋に関するもので、特に、紙幣袋を包んだ中袋をハンカチ状の布で包むようにした布製熨斗袋に関する。
【背景技術】
【０００２】
古来より、結婚式や、出産、葬式等、冠婚葬祭では、金銭を布製熨斗袋に入れて相手方に渡す慣習がある。従来の布製熨斗袋としては、布が柔らかくて一定の形状を保持できない関係から、水溶性の糊等で硬化した布でお金を入れた封筒状の紙幣袋を包んでその後、水引を掛けるようにしたものがある。
【０００３】
図８は、特許文献１に開示された従来の布製熨斗袋１２４の一例を示す図である。図８に示すように、従来の布製熨斗袋はハンカチ等の布製品に水溶液の糊を付して硬化させ、これを折りたたんで水引１２９を締めて、さらに熨斗１２９よび後短冊片１２７を付けて形成され、使用後水洗いしてハンカチ等として使用できる布製熨斗袋が開示されている。
【０００４】
【特許文献１】実用新案登録第３０７２７９１号公報
【考案の開示】
【考案が解決しようとする課題】
【０００５】
上記の特許文献１に開示された布製熨斗袋においては、布製のハンカチに糊を付けて乾燥させてからそれを折りたたんで布製熨斗袋を製造している。このように、布製のハンカチに糊を付けて乾燥させる工程は時間がかかり、また、糊の着いた布製熨斗袋をハンカチとして使用した場合には、利用者の方で糊のついた布製熨斗袋を水洗いして糊を落とす必要があった。
【０００６】
本考案は上述の課題を鑑み、糊を付けることなく布製のハンカチで布製熨斗袋を製造でき、布製熨斗袋として使用された後は、単に水洗い程度でハンカチとして再利用できる布製熨斗袋を提供することを目的とする。
【課題を解決するための手段】
【０００７】
上述の課題を解決するために、本考案は、
複数の折り目を付けた正方形布と、
紙幣を入れた紙幣袋を包むための複数の折り目を付けた中袋と
前記正方形布で折られた布製熨斗袋本体の中央に掛けられた水引と、
前記布製熨斗袋本体の表側の水引の下に挿入され、献辞、贈主等が記入される短冊片とからなり、
前記折り目を付けた正方形布の中心部に前記紙幣袋を包んだ前記中袋を置き、
前記正方形布の折り返し部の長さを前記布製熨斗袋本体の長手方向の長さの半分よりも長くし、
前記水引を中央に掛けることによって前記布製熨斗袋本体の折り返し部の重なりを固定する
ようにしたことを特徴とする。
【０００８】
好ましくは、中袋の中心部に置く紙幣袋の下に敷き紙を敷くことを特徴とする。
【考案の効果】
【０００９】
本考案によれば、製造が容易で、また使用後も簡単にハンカチ等として再利用できるので、経済的である。
【００１０】
また、本考案によれば、布製熨斗袋の形状をしっかりと保持でき、利用に便利である。
【考案を実施するための最良の形態】
【００１１】
実施形態．
以下、本考案の実施の形態について図面を参照しながら説明する。図１は、本考案の実施形態の布製熨斗袋の表側及び裏側を示す図である。図１（Ａ）は、布製熨斗袋本体１０の表側を示し、図１（Ｂ）は布製熨斗袋本体１０の裏側を示す図である。図１（Ａ）において、布製熨斗袋本体１０の表側には、水引３０および熨斗３１が設けられる。図１（Ｂ）において、布製熨斗袋本体１０の裏側には、上側折り返し部である舌部１１および下側折り返し部である舌部１２が重ねられ、水引３０によって上側折り返し部１１と下側折り返し部１２とが固定される。
【００１２】
図２は、本考案の実施形態の布製熨斗袋における紙幣袋４０および敷き紙５０および中袋６０を示す図である。図２（Ａ）に示すように、現金６１を紙幣袋４０に入れ紙幣袋４０の封片４２を折り曲げる。図２（Ｂ）は紙幣袋４０の下に敷く敷き紙５０を示す。中袋６０は、後述するように、紙幣袋４０を包み込んで布製熨斗袋１の芯になる部分である。中袋６０の厚さが布製熨斗袋１の形状を十分に保持できない程度に薄い場合にはこの敷き紙５０を用いる。中袋６０の厚さが布製熨斗袋１の形状を十分に保持できる程度の厚さの場合には、この敷き紙５０を用いる必要がない。図２（Ｃ）は、上述のように、包み紙６０の中に紙幣袋４０を包み込むための折れ線（ａ〜ｈ）を設けておくと、紙幣袋４０の包み込みが容易にでき便利である。
【００１３】
図３は、本考案の実施形態の布製熨斗袋における中袋６０の折り方を説明する図である。図３（Ａ）に示すように、中袋６０の中央に敷き紙５０を置いて、その上に図３（Ｂ）に示すように、紙幣袋４０を置く。上述のように、中袋６０が、布製熨斗袋１の形状を十分に保持できる程度に十分厚い場合には、この敷き紙５０を用いる必要がないので、図３（Ａ）のステップは省略できる。
【００１４】
次に、図３（Ｂ）の一点鎖線の矢印で示すように、中袋６０の端ａを折れ曲げ線ｅを境にして内側に折り曲げると、図３（Ｃ）に示すように、端ａと折れ曲げ線ｅで構成される面で、紙幣袋４０と敷き紙５０が覆われる。次に、図３（Ｃ）の一点鎖線の矢印で示すように、中袋６０の端ｂを折れ曲げ線ｆを境にして内側に折り曲げると、図４（Ａ）に示すように、端ｂと折れ曲げ線ｆで構成される面で、紙幣袋４０と敷き紙５０は完全に覆われる。
【００１５】
次に、図４（Ａ）の一点鎖線の矢印で示すように、中袋６０の端ｃを折れ曲げ線ｇを境にして外側に折り曲げると、図４（Ｂ）に示すように、折れ曲げ線ｇが端に現れる。次に、図４（Ｂ）の一点鎖線の矢印で示すように、中袋６０の端ｄを折れ曲げ線ｈを境にして外側に折り曲げると、図４（Ｃ）に示すように、中袋６０が完成する。完成形においては、中袋６０の端は、折れ曲げ線ｅ，折れ曲げ線ｆ，折れ曲げ線ｇ，折れ曲げ線ｈで形成され、折れ曲げ線ｆ寄りに端ｂが表面に現れる。
【００１６】
図４（Ｄ）は、図４（Ｃ）を裏返して見た図である。図４（Ｄ）においては、端ｂと端ｄが裏面に現れる。
【００１７】
図５は、本考案の実施形態の布製熨斗袋における正方形布１０の折り方を説明する図である。図５（Ａ）に示すように、正方形布１０の中央に中袋６０を置く。次に、図５（Ａ）の一点鎖線の矢印で示すように、正方形布１０の舌部１３を折れ曲げ線ｊを境にして内側に折り曲げると、図５（Ｂ）に示すように、舌部１３と折り曲げ線ｊで構成される面で、中袋６０が覆われる。次に、図５（Ｂ）の一点鎖線の矢印で示すように、正方形布１０の舌部１３を折れ曲げ線ｍを境にして外側に折り曲げると、図６（Ａ）に示すように、舌部１３が折れ曲げ線ｍと折れ曲げ線ｊで構成される面の中に押し込まれる。
【００１８】
次に、図６（Ａ）の一点鎖線の矢印で示すように、正方形布１０の舌部１４を折れ曲げ線ｋを境にして内側に折り曲げると、図６（Ｂ）に示すように、舌部１４と折れ曲げ線ｋで構成される面で中袋６０が完全に覆われる。次に、図６（Ｂ）の一点鎖線の矢印で示すように、中袋６０の舌部１４を折れ曲げ線ｎを境にして内側に折り曲げると、図６（Ｃ）に示すように、舌部１４と折れ曲げ線ｎで構成される面が表面に現れる。次に、図６（Ｃ）の一点鎖線の矢印で示すように、中袋６０の舌部１４を折れ曲げ線ｐを境にして内側に折り曲げると、図７（Ａ）に示すように、舌部１４と折れ曲げ線ｐで構成される面が表面に現れる。
【００１９】
次に、図７（Ａ）の一点鎖線の矢印で示すように、中袋６０の舌部１１を折れ曲げ線ｑを境にして外側に折り曲げると、図７（Ｂ）に示すように、舌部１１が裏面に隠れる。次に、図７（Ｂ）の一点鎖線の矢印で示すように、中袋６０の舌部１２を折れ曲げ線ｒを境にして外側に折り曲げると、図７（Ｃ）に示すように、舌部１２が裏面に隠れる。完成形においては、中袋６０の端は、折れ曲げ線ｊ，折れ曲げ線ｋ，折れ曲げ線ｑ，折れ曲げ線ｒで形成され、折れ曲げ線ｊ寄りに折れ曲げ線ｎが現れ、折れ曲げ線ｎと折れ曲げ線ｐの面の上に舌部１３が現れる。
【００２０】
図７（Ｃ）で完成した布製熨斗袋本体１０に、図１（Ａ）に示すように、水引３０、熨斗３１および短冊片２０を取りつけることによって、布製熨斗袋１が完成する。ここで、短冊片２０は布製熨斗袋本体１０の表側の水引３０の下に挿入され、献辞，贈主等が記入されるものである。短冊片２０は水引３０によって脱落が防止され、舌部１１お舌部１２は、上述のように、水引３０によって押さえられ、固定される。
【００２１】
図１（Ｂ）に示すように、舌部１１の上に舌部１２が重ねられ、その重なりを水引３０で止めるためには、舌部１１および舌部１２を含む折り返し部の長さがそれぞれ、布製熨斗袋本体の長手方向の長さの１／２以上であることが必要となる。
【００２２】
上述のように、本考案の実施形態では、このように、布製熨斗袋本体の中央の位置に水引３０を掛けることによって、舌部１１、舌部１２を止めることができる。
【００２３】
図１（Ｂ）においては、舌部１２が舌部１１の上に重ねられているが、これは慶事の時の慣習であり、弔事のときには、舌部１２の上に舌部１１が重ねられる。そのときには、図７（Ａ）と図７（Ｂ）の順序を逆にしても良く、また布製熨斗袋本体１０が完成してから上側折り返し部１１と舌部１２の上下関係を変えても良い。
【００２４】
本考案は、上述した実施形態に限定されるものではなく、この考案の要旨を逸脱しない範囲内で様々な変形や応用が可能である。
【産業上の利用可能性】
【００２５】
本考案は、婚礼などの慶事用や葬儀等の弔事用の布製熨斗袋として利用可能である。
【図面の簡単な説明】
【００２６】
【図１】本考案の実施形態の布製熨斗袋本体の表面及び裏面を示す図である。
【図２】本考案の実施形態の布製熨斗袋における紙幣袋および敷き紙および中袋を示す図である。
【図３】本考案の実施形態の布製熨斗袋における中袋の折り方を説明する図である。
【図４】本考案の実施形態の布製熨斗袋における中袋の折り方を説明する図である。
【図５】本考案の実施形態の布製熨斗袋の組み立て順序を説明する図である。
【図６】本考案の実施形態の布製熨斗袋の組み立て順序を説明する図である。
【図７】本考案の実施形態の布製熨斗袋の組み立て順序を説明する図である。
【図８】従来の布製熨斗袋を示す図である。
【符号の説明】
【００２７】
１  布製熨斗袋
２  正方形布
１０  布製熨斗袋本体
１１  舌部
１２  舌部
１３  舌部
１４  舌部
２０  短冊片
３０  水引
３１  熨斗
４０  紙幣袋
４１  紙幣
４２  封片
５０  敷き紙
６０  中袋
【図１】
0003142820.tif 000003
【図２】
0003142820.tif 000004
【図３】
0003142820.tif 000005
【図４】
0003142820.tif 000006
【図５】
0003142820.tif 000007
【図６】
0003142820.tif 000008
【図７】
0003142820.tif 000009
【図８】
0003142820.tif 000010